(57)【特許請求の範囲】
【請求項１】
熱源機によって加熱された水を浴室空調機に送る往き管と、前記浴室空調機で熱交換された水を前記熱源機に戻す戻り管の両者が接続される前記浴室空調機であって、
気液熱交換器と、
前記往き管が接続される予定の入水管であって、前記往き管によって送られた水を前記気液熱交換器に送る予定の入水管と、
前記戻り管が接続される予定の出水管であって、前記気液熱交換器で熱交換された水を前記戻り管に戻す予定の出水管と、
前記入水管を流れる水の温度を検知する温度センサと、
前記入水管を流れる水の流量を制御する流量制御弁と、
制御手段を備えており、
前記気液熱交換器が、前記熱源機によって加熱されて前記気液熱交換器に送られた水によって浴室内に送る空気を加熱し、
前記制御手段が、誤接続判断処理において、前記温度センサによって検知された水の温度が所定の第１温度に上昇する前は前記流量制御弁の開度を第１開度とし、前記温度センサによって検知された水の温度が前記第１温度に達した後は前記流量制御弁の開度を前記第１開度より小さい第２開度とし、前記流量制御弁の開度を前記第２開度にしてから所定の時間が経過するより前に、前記温度センサによって検知された水の温度が前記第１温度より低い第２温度に低下したか否かによって前記往き管と前記戻り管の誤接続を判断する、浴室空調機。
【請求項２】
前記入水管を流れる水の流量を検知する流量センサを更に備えており、
前記制御手段は、前記誤接続判断処理において、前記流量センサによって検知された水の流量に基づいて前記第１開度および／または前記第２開度を増減する、請求項１に記載の浴室空調機。
【請求項３】
前記気液熱交換器によって加熱された空気を前記浴室内に送るファンを更に備えており、
前記制御手段は、前記誤接続判断処理において、前記温度センサによって検知された水の温度が前記第１温度に達すると前記ファンを駆動する、請求項１又は２に記載の浴室空調機。
【請求項４】
前記浴室内にミスト状の水を噴霧するミストノズルと、
前記ミストノズルに水を送る送水管と、
前記気液熱交換器に直列接続されており、前記気液熱交換器に送られる水の全部が送られる液液熱交換器を更に備えており、
前記液液熱交換器が、液液熱交換器に送られた水によって前記送水管を流れる水を加熱する、請求項１から３のいずれか一項に記載の浴室空調機。
【請求項５】
前記浴室内にミスト状の水を噴霧するミストノズルと、
前記ミストノズルに水を送る送水管と、
前記気液熱交換器に並列接続されており、前記気液熱交換器に送られる水の一部が送られる液液熱交換器を更に備えており、
前記液液熱交換器が、液液熱交換器に送られた水によって前記送水管を流れる水を加熱する、請求項１から３のいずれか一項に記載の浴室空調機。
【発明の詳細な説明】
【技術分野】
【０００１】
本明細書に開示する技術は、浴室空調機に関する。
【背景技術】
【０００２】
特許文献１に開示されている浴室空調機は、往き管と戻り管の両者が接続される構成である。往き管は、熱源機によって加熱された水を浴室空調機に送る管である。戻り管は、浴室空調機で熱交換された水を熱源機に戻す管である。
【０００３】
特許文献１の浴室空調機は、気液熱交換器と入水管と出水管を備えている。入水管は、往き管が接続される予定の管であって、往き管によって送られた水を気液熱交換器に送る予定の管である。出水管は、戻り管が接続される予定の管であって、気液熱交換器で熱交換された水を戻り管に戻す予定の管である。また、この浴室空調機は、入水管を流れる水の温度を検知する温度センサを備えている。
【先行技術文献】
【特許文献】
【０００４】
【特許文献１】特開２０１４−７０８５６号公報
【発明の概要】
【発明が解決しようとする課題】
【０００５】
特許文献１の浴室空調機では、温度センサによって検知される入水管内の水温度が所定の基準時間以上継続して判定基準温度より低い状態であれば、入水管に戻り管が接続され、出水管に往き管が接続された誤接続状態であると判断している。このような構成では、所定の基準時間が経過するまで誤接続を判断することができない。そのため、誤接続を判断するための時間が長くなっていた。そこで本明細書は、往き管と戻り管の誤接続を判断するための時間を短縮することができる技術を提供する。
【課題を解決するための手段】
【０００６】
本明細書に開示する浴室空調機には、熱源機によって加熱された水を浴室空調機に送る往き管と、浴室空調機で熱交換された水を熱源機に戻す戻り管の両者が接続される。浴室空調機は、気液熱交換器と、往き管が接続される予定の入水管であって、往き管によって送られた水を気液熱交換器に送る予定の入水管と、戻り管が接続される予定の出水管であって、気液熱交換器で熱交換された水を戻り管に戻す予定の出水管と、を備えている。また、浴室空調機は、入水管を流れる水の温度を検知する温度センサと、入水管を流れる水の流量を制御する流量制御弁と、制御手段を備えている。気液熱交換器が、熱源機によって加熱されて気液熱交換器に送られた水によって浴室内に送る空気を加熱する。制御手段が、誤接続判断処理において、温度センサによって検知された水の温度が所定の第１温度に上昇する前は流量制御弁の開度を第１開度とし、温度センサによって検知された水の温度が第１温度に達した後は流量制御弁の開度を第１開度より小さい第２開度とし、流量制御弁の開度を第２開度にしてから所定の時間が経過するより前に、温度センサによって検知された水の温度が第１温度より低い第２温度に低下したか否かによって往き管と戻り管の誤接続を判断する。
【０００７】
このような構成によれば、往き管と戻り管が浴室空調機に接続され、熱源機によって加熱された水が往き管によって浴室空調機に送られる。浴室空調機に送られた水は、気液熱交換器で熱交換された後に戻り管に戻される。そして、その水が戻り管によって熱源機に戻される。なお、ここでいう水は、熱源機と浴室空調機の間で熱をやり取りする熱媒として機能するものであればよく、例えば水道水であってもよいし、不凍液であってもよい。
【０００８】
往き管と戻り管が浴室空調機に接続されるときに、浴室空調機の入水管に往き管が接続され、出水管に戻り管が接続される予定である。すなわち、往き管と戻り管が正接続される予定である。しかしながら、誤って浴室空調機の入水管に戻り管が接続され、出水管に往き管が接続されることがある。すなわち、往き管と戻り管が逆接続されることがある。往き管と戻り管が浴室空調機に接続されただけでは、往き管と戻り管が正接続されているか逆接続されているかが不明である。そのため、往き管と戻り管の誤接続を判断することができない。
【０００９】
そこで、上記の浴室空調機では、制御装置が誤接続判断処理を行って、往き管と戻り管の誤接続を判断する。上記の構成では、熱源機によって加熱されて往き管によって浴室空調機に送られた水が入水管と気液熱交換器と出水管を流れる。正接続の場合は、熱源機によって加熱された後、気液熱交換器で熱交換される前の水が入水管を流れる。逆接続の場合は、気液熱交換器で熱交換された後の水が入水管を流れる。入水管を流れる水の温度は、温度センサによって検知されている。上記の構成では、制御手段が、誤接続判断処理において、流量制御弁の開度をまず第１開度とする。流量制御弁の開度が第１開度であるとき、熱源機によって加熱された後の水が入水管を流れることで、正接続であっても逆接続であっても温度センサの検知温度は時間の経過とともに上昇してゆく。温度センサの検知温度が所定の第１温度に上昇すると、制御手段が、流量制御弁の開度を第１開度より小さい第２開度にする。流量制御弁の開度が第２開度になると、第１開度のときよりも入水管を流れる水の流量が少なくなり、気液熱交換器における水の放熱量が増加する。往き管と戻り管が正接続されている場合は、熱源機によって加熱された後、気液熱交換器で熱交換される前の水が入水管を流れているので、気液熱交換器における水の放熱量が増加しても、温度センサの検知温度は低下しない。一方、往き管と戻り管が逆接続されている場合は、気液熱交換器で熱交換された後の水が入水管を流れており、気液熱交換器における水の放熱量が増加しているので、温度センサの検知温度が低下してゆく。そこで、制御手段は、流量制御弁の開度を第２開度にしてから所定の時間が経過する前に、温度センサの検知温度が第１温度より低い第２温度に低下したか否かを判断する。温度センサの検知温度が所定時間経過前に第２温度に低下した場合は、逆接続であると判断することができる。このようにして、上記の浴室空調機によれば、往き管と戻り管の誤接続を判断することができる。
【００１０】
上記の構成によれば、制御手段が、誤接続判断処理において、流量制御弁の開度をまず第１開度とする。これによって、熱源機から浴室空調機に大流量の水が送られるので、温度センサの検知温度を速やかに第１温度まで上昇させることができる。これによって、往き管と戻り管の誤接続を判断するための時間を短縮することができる。また、上記の構成によれば、誤接続判断処理において、温度センサの検知温度が第１温度に上昇すると、制御手段が、流量制御弁の開度を第１開度より小さい第２開度にする。これによって、気液熱交換器における水の放熱量を増加させて、誤接続の場合の温度センサの検知温度を速やかに低下させることができる。これによって、往き管と戻り管の誤接続を判断するための時間を短縮することができる。
【００１１】
上記の浴室空調機は、入水管を流れる水の流量を検知する流量センサを更に備えていてもよい。制御手段は、誤接続判断処理において、流量センサによって検知された水の流量に基づいて第１開度および／または第２開度を増減してもよい。
【００１２】
入水管を流れる水の流量は、流量制御弁の開度のみで決定されるわけではなく、流量制御弁を同じ開度としても、入水管を流れる流量が異なるものとなる場合がある。上記の構成によれば、制御手段が、誤接続判断処理において、温度センサの検知温度が第１温度に上昇するまでは入水管に大流量の水が流れるように第１開度を調整し、温度センサの検知温度が第１温度に達した後は入水管に小流量の水が流れるように第２開度を調整して、入水管を流れる水の流量を精度よく管理することができる。
【００１３】
また、上記の浴室空調機は、気液熱交換器によって加熱された空気を浴室内に送るファンを更に備えていてもよい。制御手段は、誤接続判断処理において、温度センサによって検知された水の温度が第１温度に達するとファンを駆動してもよい。
【００１４】
このような構成によれば、気液熱交換器によって加熱された空気をファンが浴室内に送ることによって、気液熱交換器での放熱量がさらに増加する。その結果、逆接続の場合に、温度センサの検知温度の低下速度がより一層速くなる。よって、誤接続を判断するための時間をより一層短縮することができる。
【００１５】
また、上記の浴室空調機は、浴室内にミスト状の水を噴霧するミストノズルと、ミストノズルに水を送る送水管を更に備えていてもよい。また、浴室空調機は、気液熱交換器に直列接続されており気液熱交換器に送られる水の全部が送られる液液熱交換器を更に備えていてもよい。液液熱交換器が、液液熱交換器に送られた水によって送水管を流れる水を加熱してもよい。
【００１６】
このような構成によれば、熱源機から浴室空調機に送られた水の全量が、入水管、気液熱交換器、液液熱交換器、出水管を順に流れるので、入水管に大流量の水を流すことができる。これによって、誤接続判断処理において、温度センサの検知温度を速やかに第１温度まで上昇させることができる。また、上記の構成によれば、熱源機から浴室空調機に送られた水は、気液熱交換器と液液熱交換器の両者で放熱するので、放熱量が増加する。これによって、逆接続の場合に、流量制御弁の開度を第２開度としたときの温度センサの検知温度の低下速度を比較的速くすることができる。その結果、誤接続を判断するための時間をより一層短縮することができる。
【００１７】
あるいは、上記の浴室空調機は、浴室内にミスト状の水を噴霧するミストノズルと、ミストノズルに水を送る送水管を更に備えていてもよい。また、浴室空調機は、気液熱交換器に並列接続されており気液熱交換器に送られる水の一部が送られる液液熱交換器を更に備えていてもよい。液液熱交換器が、液液熱交換器に送られた水によって送水管を流れる水を加熱してもよい。
【００１８】
このような構成によれば、熱源機から浴室空調機に送られた水は気液熱交換器と液液熱交換器に分かれて送られるので、入水管を流れる水の流量が少なくなる。これによって、逆接続の場合の、流量制御弁の開度を第２開度にしたときの、温度センサの検知温度の低下速度を比較的速くすることができる。その結果、誤接続を判断するための時間をより一層短縮することができる。
【図面の簡単な説明】
【００１９】
【図１】実施例の浴室空調機とガス熱源機ユニットの概略構成を示す図である。
【図２】実施例のガス熱源機ユニットの概略構成を示す図である。
【図３】実施例の浴室空調機の概略構成を示す図である。
【図４】実施例の誤接続判断処理を示すフローチャートである。
【図５】時間と温度センサが検知する水の温度との関係を示すグラフである。
【図６】他の実施例の浴室空調機の概略構成を示す図である。
【発明を実施するための形態】
【００２０】
実施例に係る浴室空調機１について、図面を参照しながら説明する。図１に示すように、浴室空調機１は、ガス熱源機ユニット２０（熱源機の一例）に接続されて使用される。
【００２１】
まず、ガス熱源機ユニット２０の構成について説明する。図２に示すように、ガス熱源機ユニット２０は、熱媒用バーナ３２と、熱媒循環ポンプ５０と、シスターン３４を備えている。シスターン３４内の水（熱媒）は、低温熱媒管路３６を通じて、熱媒用バーナ３２に送られる。熱媒用バーナ３２は、可燃性ガスを燃焼し、その燃焼熱によって水を加熱する。熱媒用バーナ３２の内部には、吸熱フィン３２ａが設けられている。吸熱フィン３２ａは、水が流れる管路に固定されており、燃焼熱を吸収して水へ伝達する。熱媒循環ポンプ５０は、低温熱媒管路３６上に設けられており、水の循環経路に沿って水を循環させる。なお、熱媒循環ポンプ５０の位置は、水の循環経路上であればよく、特に限定されない。
【００２２】
ガス熱源機ユニット２０は、水の温度を測定する低温熱媒温度センサ３８と、高温熱媒温度センサ５２を備える。低温熱媒温度センサ３８は、低温熱媒管路３６に配置されており、熱媒用バーナ３２による加熱前の水の温度を測定する。高温熱媒温度センサ５２は、高温熱媒管路５４に配置されており、熱媒用バーナ３２による加熱後の水の温度を測定する。
【００２３】
ガス熱源機ユニット２０は、低温暖房往路８０と高温暖房往路８２を備えている。低温暖房往路８０は、低温熱媒管路３６に接続されている。高温暖房往路８２は、高温熱媒管路５４に接続されている。低温暖房往路８０は、低温暖房端末７０へ水を送る。高温暖房往路８２は、高温暖房端末７２へ水を送る。低温暖房往路８０には、低温熱媒バルブ８４が設けられており、低温暖房端末７０へ水が選択的に供給される。高温暖房往路８２には、高温熱媒バルブ８６が設けられており、高温暖房端末７２へ水が選択的に供給される。低温暖房端末７０と高温暖房端末７２は、水の熱を放熱することによって暖房や乾燥を行う。低温暖房端末７０は、例えば床暖房パネルである。本実施例の高温暖房端末７２は、上記の浴室空調機１である。低温暖房端末７０と高温暖房端末７２で放熱した水は、暖房復路６２を通ってシスターン３４へ送られる。
【００２４】
上述した高温暖房往路８２は、本明細書において往き管４１と称される場合がある。往き管４１（高温暖房往路８２）は、後述する浴室空調機１の入水管４４に接続される予定の管である。また、上述した暖房復路６２は、本明細書において戻り管４２と称される場合がある。戻り管４２（暖房復路６２）は、後述する浴室空調機１の出水管４５に接続される予定の管である。
【００２５】
次に、浴室空調機の構成について説明する。図１に示すように、浴室空調機１は、往き管４１（上述したガス熱源機ユニット２０の高温暖房往路８２）と戻り管４２（上述したガス熱源機ユニット２０の暖房復路６２）を介してガス熱源機ユニット２０に接続されている。往き管４１は、上述したガス熱源機ユニット２０によって加熱された水（熱媒）を浴室空調機１に送る。戻り管４２は、浴室空調機１で熱交換された水をガス熱源機ユニット２０に戻す。
【００２６】
図３に示すように、浴室空調機１は、浴室５内の空調を行う機器である。例えば、浴室空調機１は、浴室５内の暖房や乾燥を行う。浴室空調機１は、暖房運転モードと乾燥運転モードで動作可能である。浴室空調機１は、入水管４４と出水管４５を備えている。また、浴室空調機１は、気液熱交換器９１と循環ファン９４と湯温サーミスタ９２（温度センサの一例）を備えている。
【００２７】
入水管４４は、往き管４１が接続される予定の管である。正接続の場合は、入水管４４の一端に往き管４１が接続される。往き管４１によって浴室空調機１に送られた水が入水管４４に流入する。この場合、ガス熱源機ユニット２０によって加熱された水が往き管４１によって入水管４４に送られる。一方、逆接続の場合は、入水管４４の一端に戻り管４２が接続される。入水管４４を流れた水が戻り管４２に流出する。
【００２８】
出水管４５は、戻り管４２が接続される予定の管である。正接続の場合は、出水管４５の一端に戻り管４２が接続される。出水管４５を流れた水が戻り管４２に流出する。一方、逆接続の場合は、出水管４５の一端に往き管４１が接続される。往き管４１によって浴室空調機１に送られた水が出水管４５に流入する。この場合、ガス熱源機ユニット２０によって加熱された水が往き管４１によって出水管４５に送られる。
【００２９】
出水管４５には、流量制御弁９３が設けられている。流量制御弁９３は、入水管４４と出水管４５を流れる水の流量を制御する。流量制御弁９３の開度を調整することによって入水管４４および出水管４５を流れる水の流量を調整できる。流量制御弁９３の開度は、第１開度と第２開度に調整可能である。第１開度は第２開度より大きい。例えば、第１開度が全開であり、第２開度が半開である。
【００３０】
また、入水管４４の他端と出水管４５の他端は、気液熱交換器９１に接続されている。入水管４４は、往き管４１によって送られた水を気液熱交換器９１に送る予定の管である。正接続の場合は、入水管４４から気液熱交換器９１に水が流入する。一方、逆接続の場合は、気液熱交換器９１から入水管４４に水が流出する。出水管４５は、気液熱交換器９１で熱交換された水を戻り管４２に戻す予定の管である。正接続の場合は、気液熱交換器９１から出水管４５に水が流出する。この場合、出水管４５から戻り管４２に水が流出する。一方、逆接続の場合は、出水管４５から気液熱交換器９１に水が流入する。正接続の場合は、ガス熱源機ユニット２０によって加熱された水が入水管４４によって気液熱交換器９１に送られる。逆接続の場合は、ガス熱源機ユニット２０によって加熱された水が出水管４５によって気液熱交換器９１に送られる。
【００３１】
気液熱交換器９１は、例えば、温水コイルである。気液熱交換器９１は、加熱された水と空気の熱交換によって空気を加熱する。気液熱交換器９１は、ガス熱源機ユニット２０によって加熱されて気液熱交換器９１に送られた水の熱によって、浴室５内に送る空気を加熱する。気液熱交換器９１内を水が流れる過程で熱交換が行われる。
【００３２】
循環ファン９４は、気液熱交換器９１に隣接して配置されている。循環ファン９４は、モーター９４ａによって駆動される。循環ファン９４は、回転することによって空気を送風する。循環ファン９４は、浴室５内の空気を気液熱交換器９１に送るとともに、気液熱交換器９１によって加熱された空気を浴室５内に送る。すなわち、循環ファン９４は、浴室５内の空気を気液熱交換器９１との間で循環させる。循環ファン９４と対向する位置に可変ルーバー９７が配置されている。可変ルーバー９７は、循環ファン９４によって浴室５内に送風される空気の風向を変更可能である。可変ルーバー９７は、モーター９７ａによって駆動される。
【００３３】
湯温サーミスタ９２は、入水管４４に設けられている。湯温サーミスタ９２は、入水管４４を流れる水の温度を検知する。正接続の場合は、ガス熱源機ユニット２０によって加熱された後の水であって気液熱交換器９１で熱交換される前の水の温度を検知する。逆接続の場合は、気液熱交換器９１で熱交換された後の水の温度を検知する。
【００３４】
浴室空調機１は、更に、送水管４６とミストノズル９６と液液熱交換器９５を備えている。送水管４６には、給水管４３によってミスト用の水道水が送られる。給水管４３には、水道水入口２２ａを介して水道水が供給される。給水管４３には、減圧弁２２ｂが設けられている。減圧弁２２ｂは、給水管４３における給水圧力を調整する。
【００３５】
送水管４６は、給水管４３によって浴室空調機１に送られた水をミストノズル９６に送る。送水管４６の一端に給水管４３が接続されており、送水管４６の他端にミストノズル９６が接続されている。給水管４３を流れた水が送水管４６に流入する。送水管４６を流れた水がミストノズル９６からミスト状に噴霧される。送水管４６には、逆止弁４６ａ、給水電磁弁４６ｂ、ミスト電磁弁４６ｃ、過圧逃がし弁４６ｄが設けられている。これらの弁によって、ミスト状の噴霧のオン／オフを切り換える。また、送水管４６には、ミストサーミスタ４６ｅが設けられている。ミストサーミスタ４６ｅは、送水管４６を流れる水の温度を検知する。
【００３６】
ミストノズル９６は、送水管４６によって送られた水をミスト状にして噴霧する。ミストノズル９６は、浴室５内にミスト状の水を噴霧する。
【００３７】
液液熱交換器９５は、例えば、プレート式の熱交換器である。液液熱交換器９５は、高温の水と低温の水の熱交換によって低温の水を加熱する。上述した出水管４５と送水管４６が液液熱交換器９５を通過している。液液熱交換器９５は、出水管４５を流れる水の熱によって送水管４６を流れる水を加熱する。液液熱交換器９５は、気液熱交換器９１に直列接続されている。入水管４４によって気液熱交換器９１に送られる水の全部が出水管４５によって液液熱交換器９５に送られる。液液熱交換器９５は、気液熱交換器９１より下流側に配置されている。気液熱交換器９１を流れた水が液液熱交換器９５を通過する。液液熱交換器９５は、ガス熱源機ユニット２０によって加熱された水の熱によってミストノズル９６に送る水を加熱する。
【００３８】
浴室空調機１には、浴室空調機１の各構成要素の動作を制御する浴室コントローラー９０（制御手段の一例）が設けられている。浴室コントローラー９０による制御については後述する。
【００３９】
次に、上記の浴室空調機１の動作について説明する。上記の浴室空調機１が動作するときは、浴室空調機１の送水管４６に給水管４３が接続されている。また、浴室空調機１に往き管４１と戻り管４２の両者が接続されている。往き管４１と戻り管４２が正接続されている場合は、往き管４１が入水管４４に接続されており、戻り管４２が出水管４５に接続されている。一方、往き管４１と戻り管４２が逆接続（誤接続）されている場合は、往き管４１が出水管４５に接続されており、戻り管４２が入水管４４に接続されている。
【００４０】
まず、往き管４１と戻り管４２が正接続されている場合について説明する。正接続の場合は、往き管４１を流れる水が往き管４１から入水管４４に流入する。ガス熱源機ユニット２０によって加熱された水が、往き管４１によって入水管４４に送られる。入水管４４に送られた水は、入水管４４を流れて気液熱交換器９１に送られる。このようにして、ガス熱源機ユニット２０によって加熱された水が、入水管４４を介して浴室空調機１の気液熱交換器９１に送られる。気液熱交換器９１で熱交換される前の水が入水管４４を流れる。
【００４１】
ガス熱源機ユニット２０によって加熱された水が入水管４４を流れるときに、入水管４４に設けられている湯温サーミスタ９２が、入水管４４を流れる水の温度を検知する。
【００４２】
気液熱交換器９１は、ガス熱源機ユニット２０によって加熱されて気液熱交換器９１に送られた水によって浴室５内に送る空気を加熱する。気液熱交換器９１によって加熱された空気は、循環ファン９４によって浴室５内に送られる。気液熱交換器９１は、水と空気の熱交換によって空気を加熱する。気液熱交換器９１で熱交換された水は、出水管４５に流入する。出水管４５を流れる水は液液熱交換器９５を通過する。
【００４３】
正接続の場合は、出水管４５を流れる水が出水管４５から戻り管４２に流入する。気液熱交換器９１で熱交換された水が、出水管４５によって戻り管４２に送られる。戻り管４２に送られた水は、戻り管４２を流れてガス熱源機ユニット２０に送られる。このようにして、気液熱交換器９１で熱交換された水が、出水管４５を介してガス熱源機ユニット２０に送られる。
【００４４】
また、上記の浴室空調機１では、給水管４３を流れる水が送水管４６に流入する。送水管４６を流れる水は液液熱交換器９５を通過してミストノズル９６に流入する。給水管４３によって送水管４６に送られた水が、送水管４６によって液液熱交換器９５を介してミストノズル９６に送られる。液液熱交換器９５は、出水管４５を流れる水と送水管４６を流れる水の熱交換によって、送水管４６を流れる水を加熱する。液液熱交換器９５によって加熱された水がミストノズル９６に送られる。ミストノズル９６は、液液熱交換器９５によって加熱された水をミスト状にして浴室５内に噴霧する。
【００４５】
次に、往き管４１と戻り管４２が逆接続（誤接続）されている場合について説明する。逆接続（誤接続）の場合は、往き管４１を流れる水が往き管４１から出水管４５に流入する。ガス熱源機ユニット２０によって加熱された水が、往き管４１によって出水管４５に送られる。出水管４５を流れる水は液液熱交換器９５を通過する。液液熱交換器９５を通過した水は気液熱交換器９１に流入する。出水管４５に送られた水が、液液熱交換器９５を介して気液熱交換器９１に送られる。このようにして、ガス熱源機ユニット２０によって加熱された水が、出水管４５によって液液熱交換器９５と気液熱交換器９１に送られる。
【００４６】
液液熱交換器９５は、出水管４５を流れる水と送水管４６を流れる水の熱交換によって、送水管４６を流れる水を加熱する。液液熱交換器９５によって加熱された水がミストノズル９６に送られる。ミストノズル９６は、液液熱交換器９５によって加熱された水をミスト状にして浴室５内に噴霧する。
【００４７】
気液熱交換器９１は、ガス熱源機ユニット２０によって加熱されて気液熱交換器９１に送られた水によって浴室５内に送る空気を加熱する。気液熱交換器９１によって加熱された空気は、循環ファン９４によって浴室５内に送られる。気液熱交換器９１は、水と空気の熱交換によって空気を加熱する。気液熱交換器９１で熱交換された水は、入水管４４に流入する。
【００４８】
逆接続の場合は、入水管４４を流れる水が入水管４４から戻り管４２に流入する。液液熱交換器９５と気液熱交換器９１で熱交換された水が、入水管４４によって戻り管４２に送られる。戻り管４２に送られた水は、戻り管４２を流れてガス熱源機ユニット２０に送られる。このようにして、浴室空調機１の液液熱交換器９５と気液熱交換器９１で熱交換された水が、入水管４４を介してガス熱源機ユニット２０に送られる。液液熱交換器９５と気液熱交換器９１で熱交換された後の水が入水管４４を流れる。
【００４９】
液液熱交換器９５と気液熱交換器９１で熱交換された水が入水管４４を流れるときに、入水管４４に設けられている湯温サーミスタ９２が、入水管４４を流れる水の温度を検知する。
【００５０】
上記の浴室空調機１では、通常の動作を行っている際には、浴室コントローラー９０は、往き管４１および戻り管４２が正接続されているのか、誤接続されているのか、判別することができない。そこで、上記の浴室空調機１では、ガス熱源機ユニット２０と浴室空調機１の間で往き管４１および戻り管４２を接続した時点で、往き管４１と戻り管４２の誤接続を判断する誤接続判断処理を実行可能である。誤接続判断処理について、以下にフローチャートを参照しながら詳細に説明する。誤接続判断処理は、ガス熱源機ユニット２０の熱媒循環ポンプ５０が駆動しており、かつ熱媒用バーナ３２による水（熱媒）の加熱が行われている状態で行われる。
【００５１】
往き管４１と戻り管４２の誤接続判断処理では、図４に示すように、まず浴室コントローラー９０が、Ｓ１１で流量制御弁９３の開度を第１開度に設定する。これによって、ガス熱源機ユニット２０で加熱された水が浴室空調機１に送られる。流量制御弁９３の第１開度は、例えば全開である。流量制御弁９３の開度が第１開度であるときは、入水管４４と出水管４５を流れる水の流量が比較的多くなる。
【００５２】
続くＳ１２では、浴室コントローラー９０が、湯温サーミスタ９２によって検知される水の温度Ｔｗが所定の第１温度Ｔ１を超えるまで待機する。正接続の場合であっても、逆接続の場合であっても、ガス熱源機ユニット２０によって加熱された水が入水管４４に流入すると、入水管４４に設けられている湯温サーミスタ９２の検知温度Ｔｗが、図５のＧ１に示すように、時間の経過とともに上昇してゆく。ある程度の時間が経過すると、湯温サーミスタ９２の検知温度Ｔｗが、所定の第１温度Ｔ１に達する。Ｓ１２で、湯温サーミスタ９２の検知温度Ｔｗが所定の第１温度Ｔ１を超えると、浴室コントローラー９０がＹｅｓと判断して、Ｓ１３に進む。
【００５３】
続くＳ１３では、浴室コントローラー９０が、循環ファン９４を駆動する。循環ファン９４が動作すると、浴室５の空気が気液熱交換器９１に送られるとともに、気液熱交換器９１によって加熱された空気が浴室５内に送られる。
【００５４】
また、Ｓ１３では、浴室コントローラー９０が、流量制御弁９３の開度を、第１開度から第２開度に変更する。すなわち、浴室コントローラー９０は、湯温サーミスタ９２の検知温度Ｔｗが所定の第１温度Ｔ１に達すると、流量制御弁９３の開度を第２開度にする。第２開度は第１開度より小さい開度である。流量制御弁９３の第２開度は、例えば半開である。流量制御弁９３の開度が第２開度であるときは、入水管４４と出水管４５を流れる水の流量が比較的少なくなる。第２開度のときの水の流量は、第１開度のときの水の流量より少ない。
【００５５】
流量制御弁９３の開度が第２開度になると、第１開度のときに比べて、気液熱交換器９１での水の放熱量が増加する。逆接続の場合には、気液熱交換器９１で放熱した後の水が入水管４４に流れるので、図５のＧ３に示すように、湯温サーミスタ９２の検知温度Ｔｗが時間の経過とともに低下してゆく。
【００５６】
また、上述したように、正接続の場合は、ガス熱源機ユニット２０によって加熱された水が気液熱交換器９１に送られる前に入水管４４に流入する。そのため、気液熱交換器９１で放熱する前の水が入水管４４を流れる。したがって、正接続の場合には、湯温サーミスタ９２の検知温度Ｔｗは時間が経過しても低下しない。
【００５７】
続くＳ１４では、浴室コントローラー９０が、湯温サーミスタ９２の検知温度Ｔｗが所定の第２温度Ｔ２より高いか否かを判断する。この第２温度Ｔ２は、上記の第１温度Ｔ１より低い温度である。湯温サーミスタ９２の検知温度Ｔｗが所定の第２温度Ｔ２より高い場合は、浴室コントローラー９０がＳ１４でＹｅｓと判断して、Ｓ１５に進む。一方、湯温サーミスタ９２の検知温度Ｔｗが所定の第２温度Ｔ２以下である場合は、浴室コントローラー９０がＳ１４でＮｏと判断して、Ｓ２１に進む。
【００５８】
Ｓ１５では、浴室コントローラー９０が、流量制御弁９３の開度を第１開度から第２開度に変更してから所定の検査時間Ｘｔが経過したか否かを判断する。所定の検査時間Ｘｔが経過している場合は、浴室コントローラー９０がＳ１５でＹｅｓと判断して、Ｓ１６に進む。一方、所定の検査時間Ｘｔが経過していない場合は、浴室コントローラー９０がＳ１５でＮｏと判断して、Ｓ１４に戻る。
【００５９】
上述したように、正接続の場合は、湯温サーミスタ９２の検知温度Ｔｗは低下しないので、所定の検査時間Ｘｔが経過しても検知温度Ｔｗが所定の第２温度Ｔ２以下まで低下しない。一方、逆接続の場合は、湯温サーミスタ９２の検知温度Ｔｗが低下してゆくので、図５のＧ３に示すように所定の検査時間Ｘｔが経過する前に検知温度Ｔｗが所定の第２温度Ｔ２以下まで低下する。
【００６０】
仮に、ステップＳ１３において、流量制御弁９３の開度を第２開度に変更することなく、第１開度のままとした場合、誤接続の場合の湯温サーミスタ９２の検知温度Ｔｗは、図５のＧ２に示すように、緩やかに低下していく。この場合、検査時間Ｘｔを短く設定した場合には、誤接続であるにも関わらず、検査時間Ｘｔが経過する前に検知温度Ｔｗが第２温度Ｔ２以下まで低下しないことが起こりえる。従って、この場合には、検査時間Ｘｔを十分に長い時間としなければならず、誤接続判断処理に長時間を要することとなってしまう。これに対して、本実施例では、ステップＳ１３において、流量制御弁９３の開度を第１開度から第２開度に変更しているので、誤接続の場合の湯温サーミスタ９２の検知温度Ｔｗは、図５のＧ３に示すように、急速に低下していく。この場合、検査時間Ｘｔを短く設定した場合でも、誤接続であれば、検査時間Ｘｔが経過する前に検知温度Ｔｗが第２温度Ｔ２以下まで低下する。このような構成とすることによって、検査時間Ｘｔを短い時間として、誤接続判断処理に要する時間を短時間とすることができる。
【００６１】
Ｓ１５でＹｅｓと判断された後のＳ１６では、浴室コントローラー９０が、往き管４１と戻り管４２が正接続されていると判断する。また、浴室コントローラー９０が、循環ファン９４を停止する。循環ファン９４が停止すると、空気が浴室５内に送られなくなる。また、浴室コントローラー９０が、流量制御弁９３の開度を全閉にする。流量制御弁９３の開度が全閉になると、入水管４４と出水管４５内の水が流れなくなる。
【００６２】
一方、Ｓ１４でＮｏと判断された後のＳ２１では、浴室コントローラー９０が、往き管４１と戻り管４２が逆接続されていると判断する。また、浴室コントローラー９０が、循環ファン９４を停止する。循環ファン９４が停止すると、空気が浴室５内に送られなくなる。また、浴室コントローラー９０が、流量制御弁９３の開度を全閉にする。流量制御弁９３の開度が全閉になると、入水管４４と出水管４５内の水が流れなくなる。以上のようにして、往き管４１と戻り管４２の誤接続を判断する。
【００６３】
上述した説明から明らかなように、実施例の浴室空調機１には、ガス熱源機ユニット２０によって加熱された水を浴室空調機１に送る往き管４１と、浴室空調機１で熱交換された水をガス熱源機ユニット２０に戻す戻り管４２の両者が接続される。この浴室空調機１は、気液熱交換器９１と、往き管４１が接続される予定の入水管４４であって、往き管４１によって送られた水を気液熱交換器９１に送る予定の入水管４４と、戻り管４２が接続される予定の出水管４５であって、気液熱交換器９１で熱交換された水を戻り管４２に戻す予定の出水管４５とを備えている。また、浴室空調機１は、入水管４４を流れる水の温度を検知する湯温サーミスタ９２と、入水管４４を流れる水の流量を制御する流量制御弁９３と、浴室コントローラー９０を備えている。気液熱交換器９１が、ガス熱源機ユニット２０によって加熱されて気液熱交換器９１に送られた水によって浴室５内に送る空気を加熱する。浴室コントローラー９０が、誤接続判断処理において、湯温サーミスタ９２によって検知された水の温度Ｔｗが所定の第１温度Ｔ１に上昇する前は流量制御弁９３の開度を第１開度とし、湯温サーミスタ９２によって検知された水の温度Ｔｗが第１温度Ｔ１に達した後は流量制御弁９３の開度を第１開度より小さい第２開度とし、流量制御弁９３の開度を第２開度にしてから所定の時間Ｘｔが経過するより前に、湯温サーミスタ９２によって検知された水の温度Ｔｗが第１温度より低い第２温度Ｔ２に低下したか否かによって往き管４１と戻り管４２の誤接続を判断する。
【００６４】
このような構成によれば、浴室コントローラー９０が流量制御弁９３の開度を第１開度にすることによって、湯温サーミスタ９２の検知温度Ｔｗを速やかに第１温度Ｔ１まで上昇させることができる。また、浴室コントローラー９０が流量制御弁９３の開度を第２開度にすることによって、第１開度のときよりも入水管４４を流れる水の流量が少なくなり、気液熱交換器９１における放熱量が増加する。往き管４１と戻り管４２が逆接続されている場合は、気液熱交換器９１で熱交換された後の水が入水管４４を流れているので、入水管４４に設けられた湯温サーミスタ９２の検知温度Ｔｗが時間の経過とともに低下してゆく。このとき、流量制御弁９３の開度を第２開度にすることによって気液熱交換器９１における放熱量が増加したので、検知温度Ｔｗの低下速度が比較的速くなる。一方、往き管４１と戻り管４２が正接続されている場合は、気液熱交換器９１で熱交換される前の水が入水管４４を流れているので、湯温サーミスタ９２の検知温度Ｔｗが低下しない。そこで、浴室コントローラー９０が、流量制御弁９３の開度を第２開度にしてから所定時間Ｘｔが経過する前に、湯温サーミスタ９２の検知温度Ｔｗが第１温度Ｔ１より低い第２温度Ｔ２に低下したか否かを判断する（上記のＳ１４とＳ１５参照）。湯温サーミスタ９２の検知温度Ｔｗが所定時間Ｘｔ経過前に第２温度Ｔ２に低下した場合は、逆接続であると判断することができる。一方、湯温サーミスタ９２の検知温度Ｔｗが所定時間Ｘｔ経過しても第２温度Ｔ２に低下しない場合は、正接続であると判断することができる。このようにして、往き管４１と戻り管４２の誤接続を判断することができる。以上のように、実施例の浴室空調機１によれば、逆接続の場合に湯温サーミスタ９２の検知温度Ｔｗが低下してゆくときの低下速度を速くすることができ、往き管４１と戻り管４２の誤接続を判断するための時間を短縮することができる。
【００６５】
また、上記の浴室空調機１は、気液熱交換器９１によって加熱された空気を浴室５内に送る循環ファン９４を備えている。浴室コントローラー９０は、誤接続判断処理において、湯温サーミスタ９２によって検知された水の温度Ｔｗが第１温度Ｔ１に達すると循環ファン９４を駆動する。
【００６６】
このような構成によれば、気液熱交換器９１によって加熱された空気が循環ファン９４によって浴室５内に送られることによって、気液熱交換器９１での放熱量が更に増加する。その結果、湯温サーミスタ９２の検知温度Ｔｗの低下速度がより一層速くなる。これによって、誤接続を判断するための時間をより一層短縮することができる。
【００６７】
また、上記の浴室空調機１は、浴室５内にミスト状の水を噴霧するミストノズル９６と、ミストノズル９６に水を送る送水管４６を備えている。また、浴室空調機１は、気液熱交換器９１に直列接続されており、気液熱交換器９１に送られる水の全部が送られる液液熱交換器９５を備えている。液液熱交換器９５が、液液熱交換器９５に送られた水によって送水管４６を流れる水を加熱する。
【００６８】
このような構成によれば、ガス熱源機ユニット２０から浴室空調機１に送られた水の全量が、入水管４４、気液熱交換器９１、液液熱交換器９５、出水管４５を順に流れるので、入水管４４に大流量の水を流すことができる。これによって、誤接続判断処理において、湯温サーミスタ９２の検知温度Ｔｗを速やかに第１温度Ｔ１まで上昇させることができる。また、上記の構成によれば、ガス熱源機ユニット２０から浴室空調機１に送られた水は、気液熱交換器９１と液液熱交換器９５の両者で放熱するので、放熱量が増加する。これによって、逆接続の場合に、流量制御弁９３の開度を第２開度としたときの湯温サーミスタ９２の検知温度Ｔｗの低下速度を比較的速くすることができる。その結果、誤接続を判断するための時間をより一層短縮することができる。
【００６９】
以上、一実施例について説明したが具体的な態様は上記実施例に限定されるものではない。以下の説明において、上述の説明における構成と同様の構成については同一の符号を付して説明を省略する。
【００７０】
他の実施例では、入水管４４に流量センサが設けられていてもよい。流量センサは、入水管４４を流れる水の流量を検知する。また、浴室コントローラー９０が、誤接続判断処理において、入水管４４に設けられている流量センサによって検知された水の流量に基づいて流量制御弁９３の開度を制御してもよい。浴室コントローラー９０が、入水管４４を流れる水の流量に基づいて流量制御弁９３の開度（第１開度および／または第２開度）を増減する。例えば、湯温サーミスタ９２の検知温度Ｔｗが第１温度に達する前は、入水管４４に大流量の水が流れるように流量制御弁９３の第１開度をより大きくする。或いは、湯温サーミスタ９２の検知温度Ｔｗが第１温度に達した後は、入水管４４に小流量の水が流れるように流量制御弁９３の第２開度をより小さくする。
【００７１】
入水管４４を流れる水の流量は、流量制御弁９３の開度のみで決定されるわけではなく、流量制御弁９３を同じ開度としても、入水管４４を流れる流量が異なるものとなる場合がある。しかしながら、上記の構成によれば、流量センサの検知流量に基づいて流量制御弁９３の開度を増減することによって、入水管４４を流れる水の流量を精度良く管理することができる。
【００７２】
また、上記の実施例では、液液熱交換器９５が気液熱交換器９１より下流側に配置されている構成であったが、この構成に限定されるものではない。他の実施例では、液液熱交換器９５が気液熱交換器９１より上流側に配置されていてもよい。この場合、入水管４４が液液熱交換器９５を通過している。液液熱交換器９５は、入水管４４を流れる水の熱によって送水管４６を流れる水を加熱する。
【００７３】
また、上記の実施例では、液液熱交換器９５が気液熱交換器９１に直列接続されている構成であったが、この構成に限定されるものではない。他の実施例では、図６に示すように、液液熱交換器９５が気液熱交換器９１に並列接続されていてもよい。この場合、浴室空調機１が並列管４７を備えている。並列管４７は、液液熱交換器９５を通過している。並列管４７の一端が入水管４４に接続されており、並列管４７の他端が出水管４５に接続されている。並列管４７の一端は、湯温サーミスタ９２より正接続の場合の上流側（逆接続の場合は湯温サーミスタ９２より下流側）の入水管４４に接続されている。すなわち、並列管４７の一端は、湯温サーミスタ９２を介して気液熱交換器９１と反対側の入水管４４に接続されている。液液熱交換器９５は、並列管４７を流れる水の熱によって送水管４６を流れる水を加熱する。入水管４４には、熱動弁４４ａが設けられている。熱動弁４４ａが開状態であると入水管４４から気液熱交換器９１に水が流れ、閉状態であると入水管４４から気液熱交換器９１に水が流れない。
【００７４】
往き管４１と戻り管４２が正接続されている場合は、入水管４４を流れる水の一部が並列管４７に流入し、並列管４７を流れた水が出水管４５に流出する。並列管４７は、入水管４４を流れる水の一部を液液熱交換器９５に送り、その水を液液熱交換器９５から出水管４５に戻す。入水管４４によって気液熱交換器９１に送られる水の一部が、並列管４７によって液液熱交換器９５に送られる。
【００７５】
一方、往き管４１と戻り管４２が逆接続されている場合は、出水管４５を流れる水の一部が並列管４７に流入し、並列管４７を流れた水が入水管４４に流出する。並列管４７は、出水管４５を流れる水の一部を液液熱交換器９５に送り、その水を液液熱交換器９５から入水管４４に戻す。出水管４５によって気液熱交換器９１に送られる水の一部が、並列管４７によって液液熱交換器９５に送られる。
【００７６】
このような構成によれば、ガス熱源機ユニット２０から浴室空調機１に送られた水が気液熱交換器９１と液液熱交換器９５に分かれて送られるので、入水管４４を流れる水の流量が少なくなる。これによって、流量制御弁９３の開度を第２開度にしたときに、入水管４４に設けられている湯温サーミスタ９２の検知温度Ｔｗの低下速度を比較的速くすることができる。その結果、誤接続を判断するための時間をより一層短縮することができる。
【００７７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７８】
１        ：浴室空調機
５        ：浴室
２０      ：ガス熱源機ユニット
４１      ：往き管
４２      ：戻り管
４３      ：給水管
４４      ：入水管
４５      ：出水管
４６      ：送水管
４７      ：並列管
９０      ：浴室コントローラー
９１      ：気液熱交換器
９２      ：湯温サーミスタ
９３      ：流量制御弁
９４      ：循環ファン
９５      ：液液熱交換器
９６      ：ミストノズル
９７      ：可変ルーバー
【図１】
0006590748.tif 000002
【図２】
0006590748.tif 000003
【図３】
0006590748.tif 000004
【図４】
0006590748.tif 000005
【図５】
0006590748.tif 000006
【図６】
0006590748.tif 000007